(57)【要約】【課題】  サッシ枠を構成する形材の端部同士の当接面間を毛細管現象により伝わって室外側から室内側に水が浸入するのを防止することができる嵌め殺し丸窓を提供する。【解決手段】  環状のサッシ枠４と、該サッシ枠４内に室内側から組み込まれたパネル５と、前記サッシ枠４内に室内側から取付けられて前記パネル５を固定する押し縁６とを備え、前記サッシ枠４は１つの円形または２つの半円形に曲げ加工した形材１３の端部同士を機械的に接合してなり、前記形材１３の端部同士の接合面１６に、該接合面１６間を毛細管現象により伝わって室外側から室内側に浸入する水を途中でサッシ枠４の内周に沿わせて排水するための切欠部１７を設けている。【選択図】          図５
2005083107.tif 000002
【特許請求の範囲】
【請求項１】
環状のサッシ枠と、該サッシ枠内に室内側から組み込まれたパネルと、サッシ枠内に室内側から取付けられてパネルを固定する押し縁とを備え、前記サッシ枠は１つの円形または２つの半円形に曲げ加工した形材の端部同士を機械的に接合してなり、前記形材の端部同士の接合面に、該接合面間を毛細管現象により伝わって室外側から室内側に浸入する水を途中でサッシ枠の内周に沿わせて排水するための切欠部を設けたことを特徴とする嵌め殺し丸窓。
【発明の詳細な説明】
【技術分野】
【０００１】
本発明は、嵌め殺し丸窓に関する。
【背景技術】
【０００２】
嵌め殺し丸窓は、環状のサッシ枠と、該サッシ枠内に組み込まれたパネルと、該パネルを固定する押し縁とから主に構成されている（例えば特開２００３−１８４４４３号公報参照）。前記サッシ枠は、１つの円形または２つの半円形に曲げ加工した形材の端部同士を溶接により接合するか、或いは形材の端部同士をジョイント部材等により機械的に接合して構成されている。形材の端部同士を溶接により接合してなるサッシ枠を有する嵌め殺し丸窓においては、形材の端部同士の接合面間を毛細管現象により伝わって室外側から室内側に雨水等の水が浸入する恐れはないが、製造コストが高くなる。
【０００３】
【特許文献１】特開２００３−１８４４４３号公報
【発明の開示】
【発明が解決しようとする課題】
【０００４】
一方、形材の端部同士を機械的に接合してなるサッシ枠を有する嵌め殺し丸窓においては、製造コストを低く抑えることができるが、形材の端部同士の接合面間を毛細管現象により伝わって室外側から室内側に雨水等の水が浸入する恐れがあった。雨水等の水が室内側に浸入すると、建物の躯体が腐食する等の問題がある。なお、毛細管現象による水の浸入を防止するために、形材の端部同士の接合面間にシリコン材を充填する方法が考えられるが、接合面間のシリコン材の充填状態を目で確認し難いばかりでなく、充填したシリコン材が途中で切れる恐れもある。
【０００５】
本発明は、上記事情を考慮してなされたものであり、サッシ枠を構成する形材の端部同士の接合面間を毛細管現象により伝わって室外側から室内側に水が浸入するのを防止することができる嵌め殺し丸窓を提供することを目的とする。
【課題を解決するための手段】
【０００６】
本発明は、環状のサッシ枠と、該サッシ枠内に室内側から組み込まれたパネルと、前記サッシ枠内に室内側から取付けられて前記パネルを固定する押し縁とを備え、前記サッシ枠は１つの円形または２つの半円形に曲げ加工した形材の端部同士を機械的に接合してなり、前記形材の端部同士の接合面に、該接合面間を毛細管現象により伝わって室外側から室内側に浸入する水を途中でサッシ枠の内周に沿わせて排水するための切欠部を設けたことを特徴とする。
【発明の効果】
【０００７】
本発明によれば、環状のサッシ枠と、該サッシ枠内に室内側から組み込まれたパネルと、前記サッシ枠内に室内側から取付けられて前記パネルを固定する押し縁とを備え、前記サッシ枠は１つの円形または２つの半円形に曲げ加工した形材の端部同士を機械的に接合してなり、前記形材の端部同士の接合面に、該接合面間を毛細管現象により伝わって室外側から室内側に浸入する水を途中でサッシ枠の内周に沿わせて排水するための切欠部を設けているため、サッシ枠を構成する形材の端部同士の接合面間を毛細管現象により伝わって室外側から室内側に水が浸入するのを防止することができる。
【発明を実施するための最良の形態】
【０００８】
以下に、本発明を実施するための最良の形態について、添付図面を基に詳述する。図１は本発明の実施の形態である額縁納まりタイプの嵌め殺し丸窓を示す縦断面図、図２は同嵌め殺し丸窓の室外側斜視図、図３は同嵌め殺し丸窓の室内側斜視図、図４は図２のＡ−Ａ矢視一部省略断面図、図５は同要部の一部省略斜視図である。図６は浸入した水の動きを説明するための図、図７は同要部の他の例を示す図、図８は押し縁のネジ止め時の動きを説明する説明図、図９はクロス納まりタイプの嵌め殺し丸窓を示す縦断面図である。
【０００９】
これらの図において、１は嵌め殺し丸窓で、この嵌め殺し丸窓１は、建物の躯体２の円形の開口部３に室外側から固定される環状のサッシ枠４と、このサッシ枠４内に室内側から組み込まれたパネル５と、前記サッシ枠４内に室内側から取付けられて前記パネル５を固定する押し縁６とを備えている。前記サッシ枠４の外周には該サッシ枠４を躯体２に固着具例えばネジ７で固定するための取付フィン８が設けられ、サッシ枠４の室外側端部には装飾用の外向き鍔部９が設けられている。また、サッシ枠４の内周にはパネル５の周縁部を室内側から当接させて固定するためのパネル固定フィン１０と、押し縁６を固着具例えばネジ（ビス）１１で固定するための押し縁固定フィン１２とが設けられている。この押し縁固定フィン１２はサッシ枠４の内周から立ち上がった立上り部１２ａと、この立上り部１２ａから室内側に延出された円筒状の延出部１２ｂとからなり、この延出部の内周面に押し縁がネジ１１で固定されている。図示例では、前記立上り部１２ａと前記取付フィン８とは室内外方向で略同じ位置とされているが、これに限定されるものではない。
【００１０】
前記サッシ枠４は、１つの円形または２つの半円形に曲げ加工した形材１３の端部同士を機械的に接合してなる。図示例のサッシ枠４は、図２に示すように、２つの半円形に曲げ加工した上下の形材１３の端部同士をジョイント部材１４及び固着具例えばネジ（ビス）１５により機械的に接合してなる。形材１３は、金属製例えばアルミ製であり、曲げ加工機により半円形に曲げ加工されている。２つの形材１３は、図２〜図５に示すように、端部同士を突き合わせ（当接ないし接合させ）、その接合箇所の外側に金属製例えばアルミ製の板状のジョイント部材１４を端部相互に跨るように配置し、該ジョイント部材１４を各端部にネジ１５で固定することにより機械的に接合されている。
【００１１】
この場合、前記形材１３の端部同士の接合面１６には、該接合面１６間を毛細管現象により伝わって室外側から室内側に浸入する水を途中でサッシ枠４の内周に沿わせて排水するための例えば略Ｕ字状ないし溝状の切欠部１７が設けられている。図５に示すように接合面１６間を毛細管現象により室外側から室内側に向って浸入して来る雨水等の水は、前記切欠部１７の位置で毛細管現象が断ち切られることにより重力で矢印で示すように下方に流下し、切欠部１７におけるサッシ枠４の外周面側がジョイント部材１４で覆われているのに対してサッシ枠４の内周面側が開放されていることにより、サッシ枠４の内周面側に流れ出し、サッシ枠４の内周面を伝わって下方へ排水されることになる。
【００１２】
図４に示すように、前記形材１３の外周面には形材１３の端部同士の接合面１６ないし接合箇所を外側から覆うように例えばブチルゴム製のテープ状シール材１８が貼り付けられてジョイント部材１４で押し付けられており、また、形材１３の内周面には前記切欠部１７を除いて接合面１６ないし接合箇所を内側から覆うようにシリコン材１９が設けられている。前記テープ状シール材１８及びジョイント部材１４は形材１３の外周面における外向き鍔部９と取付フィン８との間に配置され、前記シリコン材１９は形材１３の内周面におけるパネル固定フィン１０と押し縁固定フィン１２の立上り部１２ａとの間に設けられている。
【００１３】
前記接合面１６の位置はサッシ枠４の最下部以外であれば何れでも良い。サッシ枠４の最下部に接合面１６があると、接合面１６の途中に設けた切欠部１７に水が溜り、この水が室内側の接合面１６に再び毛細管現象で浸透し、室内側に浸入してしまう恐れがあるが、最下部以外であればこのようなことが起こりにくいからである。図示例ではサッシ枠４の左右両側位置に接合面１６が配置されている。この場合、水を矢印で示すように重力で下方に排水するために接合面１６の少なくとも下側に切欠部１７が形成されていることが好ましい。例えば図６に示すように接合面１６の上下両側に切欠部１７を設けても良く、或いは図７に示すように接合面１６の下側のみに切欠部１７を設けても良い。
【００１４】
前記パネル５は、例えばガラスであり、円板状に形成されている。図示例ではパネル５として断熱性の高い複層ガラスが用いられている。パネル５をサッシ枠４内に室内側から取付けるために、前記パネル固定フィン１０の内径はパネル５の外径よりも小さく、後述の係止部４２を含む押し縁固定フィン１２の内径はパネル５の外径よりも大きく設定されている。サッシ枠４内の下部におけるパネル固定フィン１０と押し縁固定フィン１２の立上り部１２ａとの間にはパネル５を載置するスぺーサ２０が配置されている。パネル固定フィン１０の室内面内周縁部にはパネル５との間をシールする軟質樹脂製の室外側パッキン（先付けビード）２１が粘着材により取付けられており、該室外側パッキン２１の外周にはパネル固定フィン１０とパネル５との間をシールする乾式の止水材２２が設けられ、二重シール構造とされている。パネル５の室内外のシール構造は、コーキングレス、すなわち湿式シール材を使用しない乾式シール構造とされ、施工性の向上及び工期の短縮が図られている。
【００１５】
前記押し縁６は、環状に形成されていると共に、サッシ枠４内に容易に脱着できるように周方向に複数例えば上下２つに分割されている。押し縁６は、図示例では断熱タイプとして合成樹脂製の形材からなっているが、非断熱タイプ（普及型）として金属性例えばアルミ製の形材からなっていても良い（図示省略）。押し縁６は、断熱タイプと非断熱タイプの何れかを選択できるようになっている。押し縁６の室外面内周縁部にはパネル５との間をシールする軟質樹脂製の室内側パッキン２３が装着され、押し縁６の室外面内周縁部には室内側パッキン２３を係止するための係止部２４が突設されている。
【００１６】
前記パネル５の室内面下縁部と室内側パッキン２３との間には、パネル５の室内面等に生じて下方に流下した結露水をサッシ枠４内（パネル固定フィン１０と押し縁固定フィン１２の立上り部１２ａとの間の空間部）の下部に排水する隙間を生じさせるための例えば横断面略８字状で先端が尖った棒状の結露排水部材２５が差し込まれて取付けられている。また、サッシ枠４のパネル固定フィン１０の最下部には、前記切欠部１７から排水され或いは前記結露排水部材２５から排水されてサッシ枠４内の下部に集まった水を室外に排水するための排水弁２６が設けられている。具体的には前記パネル固定フィン１０の最下部にはサッシ枠４内と室外とを連通する排水孔２７が設けられ、この排水孔２７に排水弁２６が取付けられている。この排水弁２６は、略筒状の本体と、この本体内に設けられた止水弁（逆止弁）とからなり、室外側からの風圧で止水弁が閉じられることにより排水の逆流が防止されるようになっている。
【００１７】
前記押し縁６は、サッシ枠４の内周、具体的には押し縁固定フィン１２の延出部１２ｂの内周面に固着具例えばネジ（ビス）１１で締め付け固定されている。ネジ１１は押し縁固定フィン１２の延出部１２ｂに対して略垂直に捩じ込まれる。サッシ枠４の内周、具体的には押し縁固定フィン１２の延出部１２ｂの内周面には、図８に示すように、押し縁６を位置決め係止する係止部４２と、前記ネジ１１による締め付け力を利用して押し縁６を前記係止部４２側に付勢するための傾斜部２９とが設けられている。前記係止部４２は前記立上り部１２ａの延長上に設けられている。押し縁６の室外面周縁部には前記係止部４２との間をシールするためのテープ状シール材２８が貼着されている。押し縁６には前記傾斜部２９と対応する傾斜部３０が設けられていることが好ましい。前記ネジ１１による締め付け固定時に傾斜部２９によって押し縁６がパネル５側に付勢されることにより、押し縁６が係止部４２にテープ状シール材２８を介してタイトに押付けられて位置決めされることになり、押し縁６の取付精度の向上が図れると共に押し縁６とサッシ枠４との間の気密性及び水密性（止水性）の向上が図れる。
【００１８】
前記押し縁６の外周側（図示例では外周）には、額縁３１の室外側縁部を固定するための額縁アングル部材３２が着脱自在に設けられている。すなわち、図１に示すように躯体２の開口部３に例えば合成樹脂製の薄板状の額縁３１を取付ける額縁納まり、または図９に示すように躯体２の開口部３に押し縁６の内周面と略同じ程度か或いは若干内径の大きい内周壁３３ａを有する開口枠３３を設け、内壁材３９の壁面から開口枠３３の内周壁３３ａまでクロス材（壁紙や壁布）を巻き込むように貼り付け施工するクロス納まりの何れかを選択できるように、前記額縁アングル部材３２が押し縁６の外周側に着脱可能になっている。額縁３１は金属製例えばステンレス製であってもよい。額縁納まりを選択する場合には押し縁６の外周側に額縁アングル部材３２を取付け、クロス納まりを選択する場合には押し縁６の外周側に額縁アングル部材３２は取付けない。このため、クロス納まりの場合、額縁アングル部材３２がないので、押し縁６を半径方向内方に移動させて容易に取外すことができる。
【００１９】
また、このように額縁アングル部材３２を半径方向内方に移動可能とするために、上下に分割された押し縁６の端部間には隙間Ｓが設けられ、端部間には端部間の隙間Ｓを埋めて端部間をつなぐための合成樹脂製の押し縁つなぎ部材（キャップともいう）３４が配置され、該押し縁つなぎ部材３４は押し縁固定フィン１２の延出部１２ｂの内周面に対して固着具例えばネジ３５により着脱自在に取付けられている。押し縁つなぎ部材３４は、額縁納まりの場合、額縁アングル部材３２の端部間をつなぐアングルつなぎ部３４ａを一体的に有しているが、クロス納まりの場合、アングルつなぎ部３４ａを有していない。
【００２０】
押し縁６の外周側に額縁アングル部材３２を着脱自在に且つ容易に取付けるために、両者の何れか一方例えば押し縁６の外周側には横断面略Ｃ字状の係合受部３６が形成され、他方例えば額縁アングル部材３２には係合受部３６に係合する横断面略Ｔ字状の係合部３７が形成されている。額縁アングル部材３２は可撓性を有する例えば半硬質樹脂製の長尺板状ないし帯状に形成されており、上下に分割された各押し縁６の外周の長さと略同じ長さに形成されている。額縁アングル部材３２はその係合部３７を係合受部３６に一端からスライドさせて嵌める（係合させる）ことにより押し縁６の外周に沿って曲面状に湾曲されながら取付けられる。額縁アングル部材３２は押し縁６の室内面よりも室内側に所定の幅で延出されており、この室内側に延出した額縁アングル部材３２の裏面（裏側）に額縁３１の室外側縁部が挿入され、額縁アングル部材３２は額縁３１の室外側縁部を挟んでネジ３８により躯体２に固定される。
【００２１】
記額縁３１は躯体２の開口部３に室内側から装着されるように円筒状に形成され、その室内端には内壁材３９の開口周縁部に当接されて釘４０等で固定される鍔部３１ａが一体的に設けられている。額縁３１は取付けし易いように例えば上下に２分割されており、取付後にその端部同士の接合部が隙間隠しシール（図示省略）等によって接合される。なお、押し縁６の室内面内周縁部にはクロス納まりの場合の開口枠３３の上限を規制する鍔部４１が形成されていることが好ましい。
【００２２】
次に以上の構成からなる嵌め殺し丸窓１の施工方法及び作用を述べる。サッシ枠４は建物の躯体２の開口部３の大きさに合わせて工場で製作及び組み立てがなされる。このサッシ枠４を建物の躯体２に固定し、サッシ枠４内に室内側からパネル５を組み込み、押し縁６を取付ける。額縁納まりの場合、あらかじめ押し縁６に額縁アングル部材３２を取付けておく。押し縁６を取付けたなら、押し縁６の端部間に押し縁つなぎ部材３４を取付け、押し縁６とパネル５の隙間に室内側パッキン２１を押し込んで装着する。次に、躯体２の開口部３に室内側から額縁３１を取付ければ良い。
【００２３】
クロス納まりの場合は、押し縁６を取付ける前または取付けた後に、躯体２の開口部３に室内側から開口枠３３を取付け、内壁材３９の壁面及び開口枠３３の内周壁３３ａにクロス材を貼り付け施工すれば良い。額縁納まりにおいて、押し縁６やパネル５の交換等のメンテナンスを行う場合には、先ず額縁アングル部材３２を固定しているネジ３８を取外し、押し縁つなぎ部材３４を取外し、押し縁６を取外せば良い。クロス納まりにおいて、押し縁６の交換等のメンテナンスを行う場合には、押し縁つなぎ部材３４を取外し、押し縁６を取外せば良い。なお、図９の図示例では、開口枠３３の内径よりもパネル５の外径の方が大きいためパネル５の交換は困難であるが、パネル５の交換が可能な仕様とする場合は開口枠３３の内径をパネル５の外径よりも大きく設計すれば良い。
【００２４】
前記嵌め殺し丸窓１によれば、環状のサッシ枠４と、該サッシ枠４内に室内側から組み込まれたパネル５と、前記サッシ枠４内に室内側から取付けられて前記パネル５を固定する押し縁６とを備え、前記サッシ枠４は１つの円形または２つの半円形に曲げ加工した形材１３の端部同士を機械的に接合してなり、前記形材１３の端部同士の接合面１６に、該接合面１６間を毛細管現象により伝わって室外側から室内側に浸入する水を途中でサッシ枠４の内周に沿わせて排水するための切欠部１７を設けているため、サッシ枠４を構成する形材１３の端部同士の接合面１６間を毛細管現象により伝わって室外側から室内側に水が浸入するのを防止することができ、水の浸入による躯体２の腐食を防止することができる。
【００２５】
また、前記押し縁６の外周側には額縁３１の室外側縁部を固定するための額縁アングル部材３２が着脱自在に設けられているため、額縁納まりとクロス納まりの何れにも対応することができると共に、額縁アングル部材３２が開口枠３３の表面に露出することがなく、しかも額縁アングル部材３２が押し縁６の外周側から取外せて押し縁６の取外しが可能となり、クロス納まりの場合の意匠性の向上及びメンテナンス性の向上が図れる。前記押し縁６は周方向に複数に分割されてそれぞれサッシ枠４の内周に固着具例えばネジ１１で締め付け固定され、サッシ枠４の内周には押し縁６を係止する係止部４２と、前記ネジ１１による締め付け力を利用して押し縁６を前記係止部４２側に付勢するための傾斜部２９とが設けられているため、押し縁６を係止部４２にタイトに押付けて位置決めすることができ、施工精度の向上が図れる。
【００２６】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。
【図面の簡単な説明】
【００２７】
【図１】本発明の実施の形態である額縁納まりタイプの嵌め殺し丸窓を示す縦断面図である。
【図２】同嵌め殺し丸窓の室外側斜視図である。
【図３】同嵌め殺し丸窓の室内側斜視図である。
【図４】図２のＡ−Ａ矢視一部省略断面図である。
【図５】同要部の一部省略斜視図である。
【図６】浸入した水の動きを説明するための図である。
【図７】同要部の他の例を示す図である。
【図８】押し縁のネジ止め時の動きを説明する説明図である。
【図９】クロス納まりタイプの嵌め殺し丸窓を示す縦断面図である。
【符号の説明】
【００２８】
１  嵌め殺し丸窓
４  サッシ枠
５  パネル
６  押し縁
１１  ネジ（固着具）
１３  形材
１６  接合面
１７  切欠部
【図１】
2005083107.tif 000003
【図２】
2005083107.tif 000004
【図３】
2005083107.tif 000005
【図４】
2005083107.tif 000006
【図５】
2005083107.tif 000007
【図６】
2005083107.tif 000008
【図７】
2005083107.tif 000009
【図８】
2005083107.tif 000010
【図９】
2005083107.tif 000011